(57)【特許請求の範囲】
【請求項１】
楽曲の歌唱により得られる歌唱音声信号の採点結果に応じたメッセージを音声出力するカラオケ装置であって、
複数の採点結果それぞれに対して、再生時間の異なる複数のメッセージを対応付けて記憶するメッセージ記憶部と、
複数の歌唱区間を有する楽曲について、歌唱区間毎に前記採点結果を算出する採点部と、
前記採点結果を算出する歌唱区間の終了から次の歌唱区間の開始までの間隔であるインターバルの長さを検出するインターバル検出部と、
前記メッセージ記憶部に記憶されたメッセージの中から、算出された前記採点結果に対応するメッセージであって、再生時間が検出された前記インターバルの長さ以下であるメッセージを所定のメッセージとして選択するメッセージ選択部と、
検出された前記インターバルの間に前記所定のメッセージの音声出力を行うメッセージ出力部と、
を有することを特徴とするカラオケ装置。
【請求項２】
前記メッセージ選択部は、検出された前記インターバルの長さ以下の再生時間のメッセージが複数ある場合、前記所定のメッセージとして、再生時間が最長のメッセージを選択することを特徴とする請求項１記載のカラオケ装置。
【請求項３】
前記メッセージ選択部は、検出された前記インターバルの長さ以下の再生時間のメッセージが複数ある場合、前記所定のメッセージとして、当該複数あるメッセージから一のメッセージをランダムに選択することを特徴とする請求項１記載のカラオケ装置。
【請求項４】
前記メッセージ出力部は、前記所定のメッセージの再生時間が検出されたインターバルの長さよりも短い場合、前記インターバルの開始時よりも所定時間遅らせた時点から前記所定のメッセージの音声出力を行うことを特徴とする請求項１〜３のいずれか一つに記載のカラオケ装置。
【請求項５】
前記メッセージ選択部は、検出された前記インターバルの長さ以下の再生時間のメッセージが無い場合、前記所定のメッセージとして、算出された採点結果に対応するメッセージの中から再生時間が最短のメッセージを選択することを特徴とする請求項１〜４のいずれか一つに記載のカラオケ装置。
【発明の詳細な説明】
【技術分野】
【０００１】
本発明はカラオケ装置に関する。
【０００２】
通信カラオケシステムにおいて、カラオケ歌唱の採点機能を備えるカラオケ装置が普及している。カラオケ歌唱の採点は、歌唱者のカラオケ歌唱を数値化してリファレンスデータの数値と比較することにより行う。採点結果は、歌詞や背景映像を表示するモニタを利用して、楽曲演奏中に歌唱区間毎に表示されたり、楽曲演奏終了後に総合得点として表示される。
【０００３】
更に、点数評価だけでなく評価コメントを提示する技術も知られている。たとえば特許文献１には、楽曲演奏中に歌唱をリアルタイムに評価し、その評価結果を音声によって再生することが可能なカラオケ装置が開示されている。評価コメントは、歌手の声、アニメキャラクタの声、或いは大阪弁など、予めハードディスクに記憶された様々な声質の音声で再生することができる（特許文献１の明細書段落［００９３］）。
【先行技術文献】
【特許文献】
【０００４】
【特許文献１】特開２０００−１２２６７４号公報
【０００５】
ところで、歌唱評価に応じたメッセージ（評価コメント）を音声として再生する場合、歌唱者が当該メッセージの内容を把握できるようにすることが望ましい。このためには、歌唱者の歌唱に極力重ならないようにメッセージを再生する必要がある。
【０００６】
特許文献１には、カラオケ演奏データに含まれるコメント再生指示データに従ったタイミングで評価コメントを再生することが記載されている。つまり、各コメント再生指示データで区切られた区間毎に歌唱評価の実行が指示され、歌唱評価結果の音声出力が指示される。コメント再生指示データは、たとえば、楽曲中の各フレーズや各コーラスが切り変わる位置に配置される（特許文献１の明細書段落［００２７］）。
【０００７】
しかし、この場合には、膨大な数のカラオケ演奏データそれぞれに対し、予め複数のコメント再生指示データを設定しなければならず煩雑である。また、コメント再生指示データの設定は、インターバル（非歌唱区間）の長さを考慮して行われるものではない。
【０００８】
また、特許文献１には、ユーザがリモコンなどで所定の操作を行う毎に歌唱評価の実行及び評価コメントの再生を指示することも記載されている（特許文献１の明細書段落［００８６］）。
【０００９】
しかし、この場合、歌唱者は歌唱中に評価の実行や評価コメントの再生指示の操作が必要となるため歌唱に集中できない。また、通常、歌唱者はインターバルの長さを把握していないため、歌唱との重なりを考慮して評価コメントの再生指示等を行うことは困難である。
【００１０】
更に、特許文献1には、評価コメントが再生される際にカラオケ演奏の音量を自動的に小さくする構成の記載がある（特許文献１の明細書段落［００９５］）。この場合、大音量でカラオケ歌唱を行っている場合であっても評価コメントを聞き逃すことがない。
【００１１】
しかし、評価コメントを聞くことを優先してカラオケ演奏や歌唱音声の音量を下げるということは本末転倒であり、カラオケ歌唱の興趣を削いでしまうという問題がある。
【００１２】
本発明の目的は、歌唱評価に応じたメッセージを音声出力する場合に、歌唱者が当該メッセージの内容を容易に把握できるカラオケ装置を提供することにある。
【発明の概要】
【課題を解決するための手段】
【００１３】
上記課題を解決するために、請求項１に係るカラオケ装置は、楽曲の歌唱により得られる歌唱音声信号の採点結果に応じたメッセージを音声出力するカラオケ装置であって、複数の採点結果それぞれに対して、再生時間の異なる複数のメッセージを対応付けて記憶するメッセージ記憶部と、複数の歌唱区間を有する楽曲について、歌唱区間毎に前記採点結果を算出する採点部と、前記採点結果を算出する歌唱区間の終了から次の歌唱区間の開始までの間隔であるインターバルの長さを検出するインターバル検出部と、前記メッセージ記憶部に記憶されたメッセージの中から、算出された前記採点結果に対応するメッセージであって、再生時間が検出された前記インターバルの長さ以下であるメッセージを所定のメッセージとして選択するメッセージ選択部と、検出された前記インターバルの間に前記所定のメッセージの音声出力を行うメッセージ出力部と、を有する。
【００１４】
このようなカラオケ装置によれば、歌唱評価に応じたメッセージを音声出力する場合に、歌唱者が当該メッセージの内容を容易に把握できる。
【００１５】
また、上記課題を解決するために、請求項２に係るカラオケ装置は、請求項１記載のカラオケ装置であって、前記メッセージ選択部は、検出された前記インターバルの長さ以下の再生時間のメッセージが複数ある場合、前記所定のメッセージとして、再生時間が最長のメッセージを選択する。
【００１６】
この場合、歌唱者はメッセージ全体の内容を容易に把握できる。
【００１７】
また、上記課題を解決するために、請求項３に係るカラオケ装置は、請求項１記載のカラオケ装置であって、前記メッセージ選択部は、検出された前記インターバルの長さ以下の再生時間のメッセージが複数ある場合、前記所定のメッセージとして、当該複数あるメッセージから一のメッセージをランダムに選択する。
【００１８】
この場合、歌唱者はメッセージ全体の内容を容易に把握できる。
【００１９】
また、上記課題を解決するために、請求項４に係るカラオケ装置は、請求項１〜３のいずれか一つに記載のカラオケ装置であって、前記メッセージ出力部は、前記所定のメッセージの再生時間が検出されたインターバルの長さよりも短い場合、前記インターバルの開始時よりも所定時間遅らせた時点から前記所定のメッセージの音声出力を行う。
【００２０】
この場合、歌唱者はメッセージ全体の内容をより把握し易くなる。
【００２１】
また、上記課題を解決するために、請求項５に係るカラオケ装置は、請求項１〜４のいずれか一つに記載のカラオケ装置であって、前記メッセージ選択部は、検出された前記インターバルの長さ以下の再生時間のメッセージが無い場合、前記所定のメッセージとして、算出された採点結果に対応するメッセージの中から再生時間が最短のメッセージを選択する。
【００２２】
この場合、歌唱者はメッセージの内容を大凡把握することができる。
【発明の効果】
【００２３】
本発明によれば、歌唱評価に応じたメッセージを音声出力する場合に、歌唱者が当該メッセージの内容を容易に把握できる。
【図面の簡単な説明】
【００２４】
【図１】実施形態に係るカラオケ装置の概略を示す図である。
【図２】実施形態に係るカラオケ本体のハードウェア構成例を示す図である。
【図３】実施形態に係る記憶部に記憶されるテーブルデータの例を示す図である。
【図４】実施形態に係る記憶部に記憶されるテーブルデータの例を示す図である。
【図５】実施形態に係る記憶部に記憶される音声データの例を示す図である。
【図６】実施形態に係る記憶部に記憶される音声データの例を示す図である。
【図７】実施形態に係るカラオケ本体のソフトウェア構成例を示す図である。
【図８Ａ】実施形態に係るメッセージの音声出力を開始するタイミングの例を示す図である。
【図８Ｂ】実施形態に係るメッセージの音声出力を開始するタイミングの例を示す図である。
【図９】実施形態に係るカラオケ装置の処理を示すフローチャートである。
【図１０】実施形態において参照する楽曲の楽譜を示す図である。
【発明を実施するための形態】
【００２５】
図１〜図１０を参照して、実施形態に係るカラオケ装置１について説明する。
【００２６】
＝＝カラオケ装置＝＝
（ハードウェア構成）
カラオケ装置１は、カラオケ演奏及び歌唱者が歌唱を行うための装置である。図１に示すように、カラオケ装置１は、カラオケ本体１０、スピーカ２０、表示装置３０（表示部）、マイク４０、及びリモコン装置５０を備える。カラオケ装置１は、通信回線を介してサーバ（図示なし）と通信可能に接続される。
【００２７】
スピーカ２０はカラオケ本体１０からの放音信号に基づいて放音するための構成である。表示装置３０はカラオケ本体１０からの信号に基づいて映像や画像を画面に表示するための構成である。マイク４０は歌唱者の音声をアナログの音声信号に変換してカラオケ本体１０に入力するための構成である。リモコン装置５０は、カラオケ本体１０に対する各種操作をおこなうための装置である。歌唱者はリモコン装置５０を用いてカラオケ装置１の起動、楽曲の予約等を行うことができる。
【００２８】
カラオケ本体１０は、選択されたカラオケ楽曲の演奏制御、歌詞および背景映像の表示制御、マイク４０を通じて入力された音声信号の処理といった、カラオケ歌唱に関する各種の制御を行う。図２はカラオケ本体１０のハードウェア構成例を示す図である。カラオケ本体１０は、制御部１１、通信部１２、記憶部１３、音響処理部１４、表示処理部１５及び操作部１６を備える。各構成はインターフェース（図示なし）を介してバスＢに接続されている。
【００２９】
制御部１１は、ＣＰＵ１１ａおよびメモリ１１ｂを備える。ＣＰＵ１１ａは、メモリ１１ｂに記憶された動作プログラムを実行することにより各種の制御機能を実現する。メモリ１１ｂは、ＣＰＵ１１ａに実行されるプログラムを記憶したり、プログラムの実行時に各種情報を一時的に記憶したりする記憶装置である。
【００３０】
通信部１２は、ルーター（図示なし）を介してカラオケ本体１０を通信回線に接続するためのインタフェースを提供する。
【００３１】
記憶部１３は、各種のデータを記憶する大容量の記憶装置であり、たとえばハードディスクドライブなどである。本実施形態において、記憶部１３は、楽曲データ記憶部１３ａ、メッセージ記憶部１３ｂ、映像データ記憶部１３ｃ、音声データ記憶部１３ｄを含む。
【００３２】
楽曲データ記憶部１３ａは、複数の楽曲データを記憶する。楽曲データは、カラオケ装置１によりカラオケ演奏を行うためのデータである。カラオケ装置１が楽曲データに基づいて楽曲を演奏することにより、歌唱者はカラオケの歌唱が可能となる。なお、それぞれの楽曲には、歌唱者が歌唱を行うための歌詞が設定されている区間である「歌唱区間」と、歌詞が設定されていない区間である「非歌唱区間（インターバル）」とが存在する。非歌唱区間は、ある歌唱区間の終了から次の歌唱区間の開始までの間隔に相当する。
【００３３】
楽曲データは、ＭＩＤＩデータ、歌詞データ、リファレンスデータ等が含まれる。ＭＩＤＩデータは、電子楽器の音源を自動演奏させるための自動演奏データ（カラオケ演奏データ）であり、時系列のノート情報によって構成される。ノート情報は、たとえば発音や消音のタイミング、キーの押圧力、音の高さ、再生ピッチ等を制御する各種の命令によって構成される。歌詞データは、カラオケ楽曲における歌詞テロップを表示装置３０に表示させるための文字列データである。歌詞データは、楽曲毎に予め設定されている。リファレンスデータは、利用者によるカラオケ歌唱を採点する際の基準となるデータであり、ヴォーカルの音高を表す時系列の音高情報によって構成されている。リファレンスデータは歌唱区間毎に設定されている。
【００３４】
なお、本実施形態に係るカラオケ装置１において使用される楽曲データは、楽曲データ記憶部１３ａに記憶されているものではなく、サーバ（図示なし）から直接取得したデータであってもよい。
【００３５】
メッセージ記憶部１３ｂは、複数の採点結果それぞれに対して、再生時間の異なる複数のメッセージを対応付けて記憶する。図３及び図４は、複数の採点結果と再生時間の異なる複数のメッセージとを対応付けたテーブルデータの例を示す。
【００３６】
図３のテーブルデータは、採点結果とインターバルの長さとのマトリクスとなっている。図３のテーブルデータにおいては、採点結果毎のインターバルの長さと、当該インターバル中に再生可能な再生時間のメッセージに対応するメッセージ（メッセージＩＤ）とが一対一で記憶されている。なお、図３におけるメッセージＩＤの下に記載された値は、当該メッセージの再生時間を示す。
【００３７】
一方、図４のテーブルデータのように、メッセージ毎に再生時間を対応付けるだけでもよい。この場合、図３のテーブルデータのように、個々のインターバルの長さに対応したメッセージを記憶する必要がない。すなわち、インターバルの長さに関わらず複数のメッセージを記憶することができるため、メッセージの自由度を高めることができる。
【００３８】
映像データ記憶部１３ｃは、カラオケ演奏時に表示装置３０に表示される背景画像やキャラクタ等の映像データを記憶する領域である。
【００３９】
音声データ記憶部１３ｄは、メッセージ記憶部１３ｂに記憶されているメッセージの内容を音声で表した音声データを記憶する。たとえば、音声データ記憶部１３ｄはメッセージＩＤとメッセージの音声データとを関連付けて記憶している。なお、メッセージ記憶部１３ｂに記憶されたメッセージと音声データ記憶部１３ｄに記憶された音声データとは、同じメッセージＩＤを付与することにより関連付けることができる。また、本実施形態のメッセージは、後述する「キャラクタ採点モード」で用いても違和感がないよう、各キャラクタのイメージに合わせた言葉遣いとなっている。
【００４０】
図５及び図６は、音声データ記憶部１３ｄに記憶される音声データの例を示す。
【００４１】
図５の音声データは、各メッセージに使用される言葉は似ているが（或いは、言葉の一部が共通であるが）、長さの異なる複数のメッセージに対応するデータである。このような音声データを用いる場合、インターバルの長さが異なる場合であっても、採点結果に応じて同じ主旨のメッセージを放音できる。
【００４２】
また、図６の音声データは、メッセージの主旨は似ている（賞賛、励まし等）が、使用される言葉及び長さが異なる複数のメッセージに対応するデータである。このような音声データを用いる場合、たとえば、同じ採点結果であってもインターバルの長さの違いによって異なる言葉で表現されたメッセージが放音されるため、歌唱者を飽きさせることが無い。
【００４３】
音響処理部１４は、制御部１１の制御に基づき、カラオケ楽曲に対する演奏の制御およびマイク４０を通じて入力された音声信号の処理を行う。音響処理部１４は、たとえばＭＩＤＩ音源、ミキサ、アンプ（いずれも図示なし）を含む。ＭＩＤＩ音源は、楽曲データに基づいて楽音信号を生成する。ミキサは、当該音楽信号およびマイク４０から出力される音声信号を適当な比率でミキシングしてアンプに出力する。アンプは、ミキサからのミキシング信号を増幅し、放音信号としてスピーカ２０へ出力する。これにより、スピーカ２０からは放音信号に基づくカラオケ演奏音およびマイク４０からの歌唱音声が放音される。また、本実施形態にかかる音響処理部１４は、音声出力制御部４００（後述）の制御に基づいて所定のメッセージを放音させる。
【００４４】
表示処理部１５は、制御部１１の制御に基づき、表示装置３０における各種表示に関する処理を行う。たとえば、表示処理部１５は、カラオケ演奏時における背景映像に歌詞テロップが重ねられた映像を表示装置３０に表示させる制御を行う。
【００４５】
操作部１６は、パネルスイッチおよびリモコン受信回路などからなり、歌唱者によるカラオケ装置１のパネルスイッチあるいはリモコン装置５０の操作に応じて予約信号、中止信号などの操作信号を制御部１１に対して出力する。制御部１１は、操作部１６からの操作信号を検出し、対応する処理を実行する。
【００４６】
（ソフトウェア構成）
図７はカラオケ本体１０のソフトウェア構成例を示す図である。カラオケ本体１０は、採点部１００と、インターバル検出部２００と、メッセージ選択部３００と、音声出力制御部４００とを備える。
【００４７】
採点部１００、インターバル検出部２００、メッセージ選択部３００、及び音声出力制御部４００は、制御部１１のＣＰＵ１１ａがメモリ１１ｂに記憶されている動作プログラムを実行することにより実現される。
【００４８】
採点部１００は、複数の歌唱区間を有する楽曲について、歌唱区間毎に採点結果を算出する。採点結果の算出は公知の手法を用いることができる。たとえば、採点部１００は、歌唱者がある歌唱区間に歌唱を行った場合、当該歌唱に基づく歌唱音声信号を取得する。そして、採点部１００は、楽曲データ記憶部１３ａから当該歌唱区間に対応するリファレンスデータを読み出し、取得した歌唱音声信号とリファレンスデータとを比較することにより、音高に基づく採点結果を算出する。採点結果は、たとえば、０〜１００点の範囲の得点情報として算出される。なお、採点部１００は、音高に基づく採点結果だけでなく、歌唱の音量やタイミング（リズム）、さらには歌唱技法の評価結果等を組み合わせた総合評価を採点結果として算出してもよい。
【００４９】
インターバル検出部２００は、採点結果を算出する歌唱区間の終了から次の歌唱区間の開始までの間隔であるインターバルの長さを検出する。たとえば、インターバル検出部２００は、楽曲データ記憶部１３ａに記憶された楽曲データに基づいてインターバルの長さを検出する。なお、楽曲データとして、予めインターバルの長さに関する情報が記録されていてもよい。この場合、インターバル検出部２００は、当該情報を楽曲データ記憶部１３ａから読み出すことにより、インターバルの長さを検出する。
【００５０】
メッセージ選択部３００は、メッセージ記憶部１３ｂに記憶されたメッセージの中から、採点部１００で算出された採点結果に対応するメッセージであって、再生時間がインターバル検出部２００で検出されたインターバルの長さ以下であるメッセージを所定のメッセージとして選択する。
【００５１】
たとえば、ある歌唱区間の採点結果が９５点、当該歌唱区間から次の歌唱区間までのインターバルの長さが１，１００ｍｓｅｃであったとする。この場合、メッセージ選択部３００は、図３のテーブルデータを参照し、採点結果９５点に対応するメッセージＭ０１１〜Ｍ０１５のうち、インターバルの長さ１，１００ｍｓｅｃに対応するメッセージＭ０１２を所定のメッセージとして選択する。また、図４のテーブルデータを参照する場合、メッセージ選択部３００は、採点結果９５点に対応するメッセージＭ０１１〜Ｍ０１５のうち、インターバルの長さ１，１００ｍｓｅｃに収まる再生時間のメッセージＭ０１１を所定のメッセージとして選択する。
【００５２】
なお、検出されたインターバルの長さ以下の再生時間のメッセージが複数ある場合、メッセージ選択部３００は、所定のメッセージとして、再生時間が最長のメッセージを選択してもよい。
【００５３】
たとえば、ある歌唱区間の採点結果が８５点、当該歌唱区間から次の歌唱区間までのインターバルの長さが１，８００ｍｓｅｃであったとする。この場合、図３のテーブルデータによれば、採点結果８５点に対応するメッセージＭ０３１〜Ｍ０３５のうち、インターバルの長さ１，８００ｍｓｅｃに収まる再生時間のメッセージは、メッセージＭ０３１〜Ｍ０３３の３つが存在する。この場合、メッセージ選択部３００は、メッセージＭ０３１〜Ｍ０３３の中で最も再生時間の長いメッセージＭ０３３を所定のメッセージとして選択する。
【００５４】
或いは、検出されたインターバルの長さ以下の再生時間のメッセージが複数ある場合、メッセージ選択部３００は、所定のメッセージとして、複数あるメッセージから一のメッセージをランダムに選択してもよい。
【００５５】
たとえば、ある歌唱区間の採点結果が８５点、当該歌唱区間から次の歌唱区間までのインターバルの長さが１，８００ｍｓｅｃであったとする。この場合、図３のテーブルデータによれば、採点結果８５点に対応するメッセージＭ０３１〜Ｍ０３５のうち、インターバルの長さ１，８００ｍｓｅｃに収まる再生時間のメッセージは、メッセージＭ０３１〜Ｍ０３３の３つが存在する。この場合、メッセージ選択部３００は、所定のメッセージとして、メッセージＭ０３１〜Ｍ０３３のうち一のメッセージをランダムに選択する。
【００５６】
更に、メッセージ選択部３００は、検出されたインターバルの長さ以下の再生時間のメッセージが無い場合、所定のメッセージとして、算出された採点結果に対応するメッセージの中から再生時間が最短のメッセージを選択してもよい。
【００５７】
たとえば、ある歌唱区間の採点結果が８５点、当該歌唱区間から次の歌唱区間までのインターバルの長さが４００ｍｓｅｃであったとする。この場合、図３のテーブルデータによれば、採点結果８５点に対応するメッセージＭ０３１〜Ｍ０３５のうち、インターバルの長さ４００ｍｓｅｃに収まる再生時間のメッセージは存在しない。この場合、メッセージ選択部３００は、メッセージＭ０３１〜Ｍ０３５の中で最も再生時間の短いメッセージＭ０３１を所定のメッセージとして選択する。
【００５８】
なお、検出されたインターバルの長さ以下の再生時間のメッセージが無い場合、メッセージ選択部３００は所定のメッセージの選択を行わないことも可能である。この場合には、メッセージを音声出力することなく歌唱を優先することができる。
【００５９】
音声出力制御部４００は、検出されたインターバルの間に所定のメッセージの音声出力を行うよう音響処理部１４を制御する。具体的には、音声出力制御部４００は、音声データ記憶部１３ｄから所定のメッセ―ジに対応する音声データを読み出して、音響処理部１４に送信する。音響処理部１４は、音声出力制御部４００の制御に基づいて、スピーカ２０から音声データに対応するメッセージを放音させる。すなわち、「音声出力制御部４００」、「音響処理部１４」、「スピーカ２０」は、検出されたインターバルの間に所定のメッセージの音声出力を行う「メッセージ出力部」を構成する。なお、音声出力を行う場合に、予め録音された音声データを用いる代わりに、テキストデータを用いることも可能である。この場合、音声データ記憶部１３ｄは、テキストデータとメッセージＩＤとを関連付けて記憶している。そして、音響処理部１４は所定のメッセージに対応するテキストデータに基づいて音声合成を行い、所定のメッセージ内容を放音する。
【００６０】
＝＝タイミングの決定について＝＝
次に、図８Ａ及び図８Ｂを参照して音声出力制御部４００による音声出力のタイミングの具体例について説明を行う。図８Ａ及び図８Ｂは、楽曲の歌唱区間及びインターバルと、メッセージの音声出力を開始するタイミング（以下、単に「タイミング」という場合がある）との関係を模式的に示した図である。
【００６１】
本実施形態のように、所定のメッセージの再生時間が検出されたインターバルの長さよりも短い場合、音声出力制御部４００は、選択されたメッセージの音声出力の開始タイミングをインターバルの開始時とすることができる（図８Ａ参照）。このようにタイミングを設定することにより、インターバル中にメッセージを全て放音することが可能となる。よって、歌唱者はメッセージ全体の内容を容易に把握できる。
【００６２】
或いは、音声出力制御部４００は、選択されたメッセージの音声出力の開始タイミングを、インターバルの開始時よりも所定時間遅らせた時点とすることも可能である（図８Ｂ参照）。
【００６３】
たとえば、検出されたインターバルの長さが１，４００ｍｓｅｃであり、選択されたメッセージの長さが１，０００ｍｓｅｃであったとする。この場合、音声出力制御部４００は、インターバル開始時よりも２００ｍｓｅｃ遅い時点で音声出力を行う。このように音声出力を行うことにより、先の歌唱区間及び次の歌唱区間それぞれとメッセージとの間に所定の間隔（図８Ｂの例では２００ｍｓｅｃ）が生じる。すなわち、歌唱区間とメッセージの放音期間との間隔が空くため、メッセージ内容を聞き取りやすくなる。よって、歌唱者はメッセージ全体の内容をより把握し易くなる。
【００６４】
＝＝カラオケ装置１の動作について＝＝
次に、図９及び図１０を参照して本実施形態に係るカラオケ装置１の動作の具体例について述べる。図９は、カラオケ装置１の動作例を示すフローチャートである。図１０は、文部省唱歌である童謡「ふじの山」（作詞：巌谷  小波）の一部を示す楽譜である。
【００６５】
歌唱者は、リモコン装置５０を介し、「ふじの山」の楽曲を選択し、歌唱を行う（楽曲の選択・歌唱。ステップ１０）。
【００６６】
採点部１００は、最初の歌唱区間として、出だしの８小節の歌唱「あたまを  くもの  うえにだ  し  しほうの  やーまを  みおろーしー  て」の歌唱が終了した時点で、当該歌唱区間の採点結果として８５点を算出する（採点結果の算出。ステップ１１）。また、ある歌唱区間において、８０％〜９０％程度の歌唱が終了した時点で採点結果を得ることとしてもよく、例えば、本実施形態であれば、当該歌唱区間の８７．５％、すなわち、７小節目の「みおろーしー」の歌唱が終了した時点での採点結果を算出してもよい。なお、本発明における「歌唱区間毎に採点結果を算出する」には、ある歌唱区間における一部の歌唱に基づいて採点結果を得る場合も含まれる。
【００６７】
インターバル検出部２００は、ステップ１０で選択された楽曲「ふじの山」のリファレンスデータを参照し、最初の歌唱区間（８小節目の「て」）の歌唱が終了してから次の歌唱区間（「かみなりさーまーを・・・・」）が開始するまでのインターバルの長さ７５０ｍｓｅｃを検出する（インターバルの検出。ステップ１２）。図１０の楽譜に示した通り、本楽曲のインターバルは１拍（４分休符）であり、ＢＰＭは８０である。よって、インターバルは、６０／８０＝０．７５ｓｅｃとなる。
【００６８】
メッセージ選択部３００は、メッセージ記憶部１３ｂに記憶されたテーブルデータ（図３参照）を参照し、８５点の採点結果に対応するメッセージであって、インターバルの長さ７５０ｍｓｅｃで再生可能なメッセージＭ０３１を選択する（メッセージの選択。ステップ１３）。
【００６９】
音声出力制御部４００は、ステップ１３で選択されたメッセージＭ０３１に対応する音声データを音声データ記憶部１３ｄから読み出す（音声データの読み出し。ステップ１４）。
【００７０】
音響処理部１４は、音声出力制御部４００の制御に基づき、スピーカ２０を介してステップ１４で読み出されたメッセージＭ０３１に対応する音声データの出力を行う（メッセージの放音。ステップ１５）。具体的には、音響処理部１４は、７５０ｍｓｅｃのインターバル中に再生時間４００ｍｓｅｃのメッセージＭ０３１（対応する音声データ）を放音する。
【００７１】
このように、本実施形態に係るカラオケ装置１によれば、歌唱音声が放音されない非歌唱区間（インターバル）の間に歌唱評価に応じたメッセージ全てを音声出力することができる。よって、歌唱者は、自己の歌唱音声の影響を受けることなく、メッセージの内容を容易に把握できる。
【００７２】
なお、歌唱者が歌唱する際に「キャラクタ採点モード」を利用することも可能である。キャラクタ採点モードはカラオケ装置１が有するモードである。キャラクタ採点モードが選択された場合、表示処理部１５（制御部１１）は、歌唱時に表示装置３０に背景画像及び歌詞と共にキャラクタを表示させ、楽曲の進行に合わせてキャラクタの表示態様を変化させる。このようなモードを搭載することにより、カラオケ装置１は歌唱者に対してより高い趣向性を与えることができる。
【００７３】
このようなモードにおいて、表示処理部１５（制御部１１）は、メッセージの音声出力のタイミングに合わせてキャラクタの表示態様を変化させる制御を行うこともできる。たとえば、メッセージの内容が「賞賛」の場合、表示処理部１５は、キャラクタが喜んでいるようなアニメーションを表示させる。また、メッセージの放音に合わせてキャラクタの表情を変化させることにより、あたかもキャラクタのセリフとしてメッセージが放音されているような視覚的効果を与えることもできる。このような場合、歌唱者は視覚的にメッセージの概要を把握できる。
【００７４】
上記実施形態は、例として提示したものであり、発明の範囲を限定するものではない。また、上記の構成は、適宜組み合わせて実施することが可能であり、発明の要旨を逸脱しない範囲で、種々の省略、置き換え、変更を行うことができる。それらの実施形態やその変形は、発明の範囲や要旨に含まれると同様に、特許請求の範囲に記載された発明とその均等の範囲に含まれる。
【符号の説明】
【００７５】
１  カラオケ装置
１０  カラオケ本体
１１  制御部
１３  記憶部
１３ａ  楽曲データ記憶部
１３ｂ  メッセ―ジ記憶部
１４  音響処理部
２０  スピーカ
１００  採点部
２００  インターバル検出部
３００  メッセージ選択部
４００  音声出力制御部
【図１】
0006427439.tif 000002
【図２】
0006427439.tif 000003
【図３】
0006427439.tif 000004
【図４】
0006427439.tif 000005
【図５】
0006427439.tif 000006
【図６】
0006427439.tif 000007
【図７】
0006427439.tif 000008
【図８Ａ】
0006427439.tif 000009
【図８Ｂ】
0006427439.tif 000010
【図９】
0006427439.tif 000011
【図１０】
0006427439.tif 000012